(57)【要約】【課題】高所作業における安全対策を容易かつ確実に施すことが可能なボックスカルバート及びその施工方法を提供する。【解決手段】箱型の筒体からなり、複数個連結することによって長尺の筒状構造体を構築するボックスカルバート１であって、上面に、作業員の安全対策としてボックスカルバート１上に立設させる支柱３０の雄ねじに螺合させる、雌ねじを埋設する。そして、ボックスカルバート１を据え付けた後に、支柱３０を立設し、この支柱３０と既に据え付けられているボックスカルバート１に立設している支柱３０との間に親綱５０を架設する。【選択図】図５
2013036286.tif 000002
【特許請求の範囲】
【請求項１】
箱型の筒体からなり、複数個連結することによって長尺の筒状構造体を構築するボックスカルバートであって、
上面に、作業員の安全対策として前記ボックスカルバート上に立設させる支柱の固定部を備えたことを特徴とするボックスカルバート。
【請求項２】
前記固定部は、雌ねじ又は雄ねじを前記上面に埋設してなることを特徴とする請求項１記載のボックスカルバート。
【請求項３】
前記固定部は、前記上面の中央部に位置することを特徴とする請求項１又は２記載のボックスカルバート。
【請求項４】
前記固定部は、前記上面における両側面側の端部に位置することを特徴とする請求項１乃至３のいずれか１項記載のボックスカルバート。
【請求項５】
請求項１乃至４のいずれか１項記載のボックスカルバートの施工方法であって、所定数のボックスカルバートを据え付ける工程と、前記ボックスカルバート上の前記固定部に前記支柱を固定する工程と、前記ボックスカルバート上に立設された前記支柱に親綱を取り付ける工程とを備えることを特徴とするボックスカルバートの施工方法。
【発明の詳細な説明】
【技術分野】
【０００１】
本発明は、ボックスカルバート及びその施工方法に関する。
【背景技術】
【０００２】
従来、ボックスカルバートと称される箱型の構造物を複数個連結して地中に埋設することにより、地中に排水路、通信線の収容体、ダクト等を建設している。
【０００３】
ところで、ボックスカルバートの施工におけるボックスカルバートの連結時や仕上げの段階において、作業員はボックスカルバート上で作業を行う。ここで、作業場が地上から２ｍ以上の位置にある場合には労働安全衛生法上高所作業となる。このため、２ｍ以上の高さのボックスカルバート上で作業を行う場合には、作業員の転落を防止するための安全対策をボックスカルバート上に施す必要がある。
【０００４】
従来においては、最初に、ボックスカルバートの両側部に鋼管の組立体（例えば、足場）を設置する。次に、ボックスカルバート上に鋼管を載置して、その鋼管の両端部を組立体に固定する。次に、ボックスカルバート上の鋼管に支柱を固定する。そして、この支柱に親綱を張る、といった作業が行われている。これにより、作業員は、自身が身に付けている安全帯から延びるロープを親綱に係合させることによって、当該ロープが命綱となるため、作業員の安全性が確保される。
【０００５】
また従来、この種の技術としては、特許文献１に記載された技術がある。この特許文献１には、筒状のコンクリート二次製品の上面にインサート金物を埋設し、このインサート金物に、吊り金具を装着してコンクリート二次製品を揚重することについて開示されている。
【先行技術文献】
【特許文献】
【０００６】
【特許文献１】特開２００６−４５８５０号公報
【発明の概要】
【発明が解決しようとする課題】
【０００７】
しかし、従来のボックスカルバートの施工においては、ボックスカルバート上に安全対策を施すために、ボックスカルバートの据付作業を中断して、鋼管の組み立てや支柱の固定等の作業を行う必要がある。このため、安全対策を施すための作業に手間がかかり、ボックスカルバートの据付作業を効率的に行うことが困難であった。
【０００８】
本発明は、このような問題点を解決し、高所作業における安全対策を容易かつ確実に施すことが可能なボックスカルバート及びその施工方法を提供することを目的とする。
【課題を解決するための手段】
【０００９】
前記目的を達成するため、本発明は、次に記載する構成を備えている。
【００１０】
（１）  箱型の筒体からなり、複数個連結することによって長尺の筒状構造体を構築するボックスカルバートであって、上面に、作業員の安全対策として前記ボックスカルバート上に立設させる支柱の固定部を備えたことを特徴とするボックスカルバート。
【００１１】
（１）によれば、ボックスカルバートの上面に安全対策用の支柱を固定するための固定部が予め備えられているため、ボックスカルバートの上面に安全対策用の支柱を容易に固定することが可能になる。これにより、安全対策用の支柱に柵としての機能を持たせたり、安全対策用の支柱に親綱を張ることによって作業員が身に付けている安全帯から延びるロープに係合させることが可能になり、高所作業を行う作業員の安全を保つことが可能になる。
【００１２】
（２）  （１）において、前記固定部は、雌ねじ又は雄ねじを前記上面に埋設してなることを特徴とするボックスカルバート。
【００１３】
（２）によれば、ねじを用いて固定部に支柱を固定するという簡単な作業で、高所作業の安全対策を施すことが可能になる。
【００１４】
（３）  （１）、（２）において、前記固定部は、前記上面の中央部に位置することを特徴とするボックスカルバート。
【００１５】
（３）によれば、複数のボックスカルバートを連結した場合に、ボックスカルバートの中央に安全対策用の支柱が一列に並ぶ。このため、支柱を、親綱を張ることに用いた場合、作業員は、作業員の安全帯から延びるロープを親綱に係合することにより、作業員はボックスカルバートの両側部からの転落を防止することが可能になる。
【００１６】
（４）  （１）〜（３）において、前記固定部は、前記上面における両側面側の端部に位置することを特徴とするボックスカルバート。
【００１７】
（４）によれば、複数のボックスカルバートを連結した場合に、ボックスカルバートの両側部に支柱を一列に並べることができる。これにより、安全対策用の支柱を柵として機能させることが可能になり、作業員の転落を防止することが可能になる。
【００１８】
（５）  （１）〜（４）のボックスカルバートの施工方法であって、所定数のボックスカルバートを据え付ける工程と、前記ボックスカルバート上の前記固定部に前記支柱を固定する工程と、前記ボックスカルバート上に立設された前記支柱に親綱を取り付ける工程とを備えることを特徴とするボックスカルバートの施工方法。
【００１９】
（５）によれば、新たに据え付けられたボックスカルバート上に、支柱を立設し、この支柱に親綱を取り付けるという安全対策を施す。これにより、作業員は、ボックスカルバート上における作業の安全を確保した上で、作業を行うことが可能になる。
【発明の効果】
【００２０】
本発明によれば、ボックスカルバートの上面に支柱を固定するための固定部が予め備えられているため、ボックスカルバートの上面に支柱を容易に固定することが可能になる。これにより、ボックスカルバート上の作業員の安全対策を容易かつ確実に行うこと可能になる。
【図面の簡単な説明】
【００２１】
【図１】本発明の一実施形態におけるボックスカルバート１の外観を示す斜視図である。
【図２】頂壁１１の上面を示す平面図である。
【図３】支柱３０の外観を示す斜視図である。
【図４】支柱３０の取り付け構造を示す要部断面図である。
【図５】ボックスカルバート１の施工状況を示す説明図である。
【図６】支柱の配置を示す説明図である。
【図７】頂壁１１の上面の他例を示す平面図である。
【図８】図７の頂壁１１を有するボックスカルバート１を複数配置した場合の支柱３０の配置例を示す説明図である。
【図９】図７の頂壁１１を有するボックスカルバート１を複数配置した場合の支柱３０の他の配置例を示す説明図である。
【図１０】本発明の別実施形態における頂壁１１の上面を示す平面図である。
【図１１】本発明の別実施形態における支柱３０の取り付け構造を示す要部断面図である。
【発明を実施するための形態】
【００２２】
以下、本発明の実施形態について、図面を参照しながら詳細に説明する。
【００２３】
図１は、本発明の一実施形態におけるボックスカルバート１の外観を示す斜視図である。
【００２４】
ボックスカルバート１は、上ブロック１０と、下ブロック２０とを備えている。上ブロック１０は、矩形の頂壁１１と、頂壁１１の両側部から立設する側壁１２、１３とを備え、正面視逆Ｕ字型に形成されている。下ブロック２０は、底壁２１と、底壁２１の両側部から立設する矩形の側壁２２、２３とを備え、正面視Ｕ字型に形成されている。また、上ブロック１０及び下ブロック２０はコンクリート製である。また、頂壁１１と底壁２１は、平面視した場合に同一の矩形形状であり、側壁１２と側壁１３は、側面視した場合に同一の矩形形状であり、側壁２２と側壁２３は、側面視した場合に同一の矩形形状である。また、上ブロック１０の内側における側壁１２から側壁１３までの幅と、下ブロック２０の内側における側壁２２から側壁２３までの幅とは、同一の長さである。また、頂壁１１の上面には、雌ねじ４０が埋設されている。
【００２５】
そして、側壁１２、１３の端面と側壁２２、２３の端面とを接合して、上ブロック１０と下ブロック２０とを一体化することによって、箱型の筒体からなるコンクリート製のボックスカルバート１が構成される。このように構成されたボックスカルバート１を、図２に示すように、筒体の中心軸が同一直線になるように複数個連結することにより、長尺の筒状構造体１００が構築される。この筒状構造体１００は、地中に埋設され、排水路、通信線の収容体、ダクト等に利用される。
【００２６】
図３は、頂壁１１の上面を示す平面図である。頂壁１１の上面の中心には、支柱３０（図４参照）を固定するための雌ねじ４０が埋設されている。
【００２７】
図４は、支柱の外観を示す斜視図であり、支柱３０は、シャフト３１と、固定板３２とを備えている。
【００２８】
シャフト３１は、円柱状の金属部材であり、一端部にリング部３１ａが形成されており、他端部に雄ねじ部３１ｂが形成されている。リング部３１ａは、親綱５０（図６参照）の取り付けに用いられる。雄ねじ部３１ｂは、雌ねじ４０（図３参照）に螺合するねじ部材であり、シャフト３１よりも小径である。更に雄ねじ部３１ｂは、シャフト３１の下面の中心からシャフト３１の中心軸に沿って延在している。
【００２９】
固定板３２は、正方形の金属板であり、中央に雄ねじ部３１ｂに螺合するねじ穴３２ａが形成されている。そして、雄ねじ部３１ｂにねじ穴３２ａを螺合させ、固定板３２の上面の一部をシャフト３１の他端の下面に当接させることによって支柱３０が作成される。
【００３０】
図５は、支柱の取り付け構造を示す要部断面図である。支柱３０の雄ねじ部３１ｂを雌ねじ４０に対向させ、支柱３０を回転させることによって雄ねじ部３１ｂが雌ねじ４０に螺合する。そして、固定板３２の下面が上ブロック１０の上面に当接するまで支柱３０を回転させることによって、支柱３０は上ブロック１０の上面に立設した状態で固定される。
【００３１】
図６はボックスカルバート１の施工状況を示す説明図である。ボックスカルバート１の施工は、まず、地面を掘削して、ボックスカルバート１を埋設するための溝を形成する。この溝に、複数個の下ブロック２０を、Ｕ字型の面同士が当接するように並列配置する。更に、隣り合う下ブロック２０を、固定金具（図示しない）を用いて連結する。
【００３２】
次に、上ブロック１０を下ブロック２０上に載置して、側壁１２と側壁２２、及び側壁１３と側壁２３とを接合する。これにより、ボックスカルバート１が溝の内部に据え付けられる。
【００３３】
次に、新たに据え付けたボックスカルバート１の上面に作業員が移動し、作業員が支柱３０の雄ねじ部３１ｂを雌ねじ４０に螺合させる作業を行うことによって、支柱３０が頂壁１１の上面に立設される。更に、作業員は、支柱３０の先端のリング部３１ａに親綱５０を固定する。これにより、先に据え付けたボックスカルバート１の上面に立設した支柱３０と、新たに据え付けたボックスカルバート１の上面に立設した支柱３０との間に、支柱３０に親綱５０が架設される。
【００３４】
支柱３０の立設及び親綱５０の架設作業が終了した後、図７に示すように、作業員は、身に付けている安全帯から延びるロープを、支柱３０間に架設された親綱５０に係合させ、転落防止対策を行う。そして、作業員が、隣り合う上ブロック１０同士を、固定金具（図示しない）を用いて連結する作業を行うことにより、ボックスカルバート１同士が連結される。
【００３５】
このように、下ブロック２０の据付及び連結、下ブロック２０への上ブロック１０の載置、支柱３０の立設及び親綱５０の架設、上ブロック１０の連結の作業を繰り返すことにより、ボックスカルバート１が連結されていく。なお、上ブロック１０の連結作業を行っている間に、次の下ブロック２０及び上ブロック１０の据付作業、並びに支柱３０の立設及び親綱５０の取付作業を進行させることも可能である。複数のボックスカルバート１が連結されると、図７に示すように、複数のボックスカルバート１からなる筒状構造体１００上の中央部に、支柱３０が一列に並列配置されるとともに親綱５０が複数本の支柱に架設される。作業員は、ボックスカルバート１上で作業を行う場合において、身に付けている安全帯から延びるロープを、支柱３０間に架設された親綱５０に係合させてから作業を行う。
【００３６】
以上説明したように構成された本実施形態によれば、ボックスカルバート１の上面に安全対策用の支柱３０を固定するための雌ねじ４０がボックスカルバート１の上面に埋設されている。このため、支柱３０の雄ねじ部３１ｂを雌ねじ４０に螺合させることによって、ボックスカルバート１の上面に支柱３０を容易に固定することが可能になる。この支柱３０に親綱５０を架設することによって作業員が身に付けている安全帯から延びるロープに係合させることが可能になり、ロープが命綱となって高所作業を行う作業員の転落を防止することが可能になる。
【００３７】
また、本実施形態によれば、複数のボックスカルバート１を連結した場合に、ボックスカルバート１の中央に支柱３０が一列に並ぶ。そして、中央に支柱３０が一列に並ぶ支柱３０に親綱５０を架設し、この親綱５０に、作業員の安全帯から延びるロープを親綱５０に係合させることにより、作業員は、ボックスカルバート１上において、側壁１２側でも、側壁１３でも作業することができる。このように、ボックスカルバート１上の両側部で作業する作業員の安全を保つことが可能になる。
【００３８】
また、本実施形態によれば、新たに据え付けられたボックスカルバート１上に支柱３０を立設し、支柱３０に親綱５０を取り付けるという安全対策を施す。これにより、作業員は、ボックスカルバート１上での作業における安全性を確保した上で作業を行うことが可能になる。
【００３９】
以上、本発明の実施形態について説明したが、本発明の実施形態は、上述した実施形態に限るものではない。例えば、上述した実施形態によれば、図３に示すように、ボックスカルバート１の上面の中央に雌ねじ４０が１つ埋設されているが、それに限らず、図８に示すように、ボックスカルバート１の上面の中央、及び上面における両側壁１２、１３側の端部の中央の３箇所に雌ねじ４０が埋設されてもよい。
【００４０】
これにより、図９に示すように、複数連結されたボックスカルバート１の上面における両側壁１２、１３側の端部の雌ねじ４０に支柱３０を固定することにより、ボックスカルバート１の両側部に支柱３０が並べられ、支柱３０による列が二本形成される。そして、各列の支柱３０に親綱５０を架設する。これにより、親綱５０に作業員が身に付けている安全帯から延びるロープに係合させることが可能になり、高所作業を行う作業員の安全を保つことが可能になる。また、支柱３０及び親綱５０を、作業員の転落防止用の柵として機能させることが可能になる。
【００４１】
あるいは、図１０に示すように、複数連結されたボックスカルバート１の上面における中央及び両側壁１２、１３側の端部の雌ねじ４０に、支柱３０を固定して、ボックスカルバート１上に、支柱３０による列を三本形成する。そして、各列の支柱３０の間に親綱５０を架設する。これにより、親綱５０に作業員が身に付けている安全帯から延びるロープを係合させたりすることが可能になり、高所作業を行う作業員の安全を保つことが可能になる。また、支柱３０と親綱５０とを、作業員の転落防止用の柵として機能させることが可能になる。更に、中央の支柱３０による列の両側に通路を形成することが可能になり、ボックスカルバート１上における作業員の移動の際の安全性を向上させることが可能になる。
【００４２】
なお、図８に示すボックスカルバート１の上面においては、雌ねじ４０が３箇所埋設されているが、雌ねじ４０の埋設箇所や個数については、ボックスカルバート１の上面の大きさに応じて適宜設定可能である。
【００４３】
また、上述した実施形態によれば、図５に示すように、支柱３０に雄ねじ部３１ｂを設け、ボックスカルバート１の上面に埋設した雌ねじ４０に螺合させているが、それに限らず、図１１に示すように、支柱３０の下面に雌ねじ部３１ｃを形成し、ボックスカルバート１の上面に雄ねじ４２を埋設してもよい。
【００４４】
具体的には、図１１に示すように、ボックスカルバート１の上面に、支柱３０の径よりも若干大きい径の円柱状の凹部１１ａを形成し、この凹部１１ａの底面の中心に雄ねじ４２を埋設する。この時、雄ねじ４２の中心軸が凹部１１ａの中心軸に一致させる。また、雌ねじ部３１ｃは、雌ねじ部３１ｃの中心軸が支柱３０の中心軸と一致するように形成されている。
【００４５】
そして、支柱３０の雌ねじ部３１ｃを雄ねじ４２に対向させ、支柱３０を回転させることによって雌ねじ部３１ｃが雄ねじ４２に螺合する。そして、支柱３０の下面が凹部１１ａの底面に当接するまで支柱３０を回転させることによって、支柱３０は上ブロック１０の上面に立設した状態で固定される。そして、支柱３０間に親綱５０を架設する。これにより、親綱５０に作業員が身に付けている安全帯から延びるロープに係合させることが可能になり、高所作業を行う作業員の安全を保つことが可能になる。
【００４６】
また、上述した実施形態によれば、図１に示すように、ボックスカルバート１は、上ブロック１０と、下ブロック２０との２つの部材によって筒状にしているが、本発明はそれに限らず、筒状構造の１つの部材であってもよい。更に、図１に示すボックスカルバート１における上ブロック１０及び下ブロック２０はともにＵ字型であるが、本発明はそれに限るものではない。例えば、上ブロック１０を板状に構成し、下ブロック２０をＵ字型に構成してもよく、組合せ後に、図１に示すような筒状に構成されるのであれば、分割形態は問わない。
【符号の説明】
【００４７】
１０  上ブロック
１１  頂壁
１１ａ  凹部
１２、１３、２２、２３  側壁
２０  下ブロック
２１  底壁
３０  支柱
３１  シャフト
３１ａ  リング部
３１ｂ  雄ねじ部
３１ｃ  雌ねじ部
３２  固定板
３２ａ  穴
４０  雌ねじ
４２  雄ねじ
５０  親綱
１００  筒状構造体
【図１】
2013036286.tif 000003
【図２】
2013036286.tif 000004
【図３】
2013036286.tif 000005
【図４】
2013036286.tif 000006
【図５】
2013036286.tif 000007
【図６】
2013036286.tif 000008
【図７】
2013036286.tif 000009
【図８】
2013036286.tif 000010
【図９】
2013036286.tif 000011
【図１０】
2013036286.tif 000012
【図１１】
2013036286.tif 000013